(57)【要約】【課題】天板に安定して取付可能なオプションユニット及び天板付什器を提供する。【解決手段】天板２を有する什器本体３に着脱可能に取り付けられるオプションユニット４であって、天板２から立設するとともに、下棚板５２が着脱可能に取り付けられる縦枠部５５を備えている。縦枠部５５は、前後延在部７１と、左右延在部７２と、天板保持部６６と、を備えている。オプションユニット４は、前後延在部７１及び左右延在部７２がなす角部６５ａの内側において、前後延在部７１及び左右延在部７２のそれぞれに固定されるとともに、上下方向に延在する支柱６２を備えている。【選択図】図７
2019195350.tif 000002
【特許請求の範囲】
【請求項１】
天板を有する什器本体に着脱可能に取り付けられるオプションユニットであって、
前記天板から立設するとともに、オプション部材が着脱可能に取り付けられる縦枠部を備え、
前記縦枠部は、
前記天板上に前記天板の前後方向に沿って配置される前後延在部と、
前記天板上に前記天板の左右方向に沿って配置されるとともに、前記前後延在部に連なる左右延在部と、
前記前後延在部及び前記左右延在部の少なくとも何れかに連なり、前記天板の下方に回り込んだ状態で前記天板に保持される天板保持部と、
前記前後延在部及び前記左右延在部がなす角部の内側において、前記前後延在部及び前記左右延在部のそれぞれに支持されるとともに、上下方向に延在する支柱と、を備えているオプションユニット。
【請求項２】
前記縦枠部は、左右方向に間隔をあけて一対設けられ、
左右方向に延びるとともに、一対の前記縦枠部同士を連結する横枠部を備えている請求項１に記載のオプションユニット。
【請求項３】
前記前後延在部には、前記支柱を露出させる第１開口部が形成され、
前記横枠部は、前記第１開口部を通じて前記支柱に固定されている請求項２に記載のオプションユニット。
【請求項４】
前記左右延在部には、前記支柱を露出させる第２開口部が形成され、
前記左右延在部は、前記第２開口部の開口縁において前記支柱に溶接されている請求項２又は請求項３に記載のオプションユニット。
【請求項５】
前記天板保持部は、前記前後延在部から左右方向に連なっている請求項１から請求項４の何れか１項に記載のオプションユニット。
【請求項６】
前記オプション部材は、一対の前記縦枠部の前記前後延在部間に架け渡された棚板である請求項２から請求項５の何れか１項に記載のオプションユニット。
【請求項７】
前記天板保持部は、
前記天板の上面に沿って配置される上壁部と、
前記上壁部に連なり、前記天板の側面に沿って配置される側壁部と、
前記側壁部に連なり、前記天板の下面に沿って配置される下壁部と、
前記下壁部から下方に延在するとともに、前記什器本体に取り付けられる取付壁と、を備えている請求項１から請求項６の何れか１項に記載のオプションユニット。
【請求項８】
請求項１から請求項７の何れかに記載のオプションユニットと、
上面が作業面とされた天板を有し、前記オプションユニットが着脱可能に取り付けられる什器本体と、を備える天板付什器。
【請求項９】
前記天板を支持する支持脚を備え、
前記支持脚は、上下方向に伸縮可能に構成されている請求項８に記載の天板付什器。
【発明の詳細な説明】
【技術分野】
【０００１】
本発明は、オプションユニット及び天板付什器に関する。
【背景技術】
【０００２】
天板付什器（例えば、作業台）においては、天板上での作業を効率化させるために、天板上に棚板等のオプションユニットが配置される場合がある（例えば、下記特許文献１参照）。
【先行技術文献】
【特許文献】
【０００３】
【特許文献１】実開昭６４−１２１３６号公報
【発明の概要】
【発明が解決しようとする課題】
【０００４】
しかしながら、上述した従来技術にあっては、天板上にオプションユニットを安定して取り付ける点で未だ改善の余地があった。
【０００５】
本発明は、天板に安定して取付可能なオプションユニット及び天板付什器を提供することを目的とする。
【課題を解決するための手段】
【０００６】
上記目的を達成するために、本発明の一態様に係るオプションユニットは、天板を有する什器本体に着脱可能に取り付けられるオプションユニットであって、前記天板から立設するとともに、オプション部材が着脱可能に取り付けられる縦枠部を備え、前記縦枠部は、前記天板上に前記天板の前後方向に沿って配置される前後延在部と、前記天板上に前記天板の左右方向に沿って配置されるとともに、前記前後延在部に連なる左右延在部と、前記前後延在部及び前記左右延在部の少なくとも何れかに連なり、前記天板の下方に回り込んだ状態で前記天板に保持される天板保持部と、前記前後延在部及び前記左右延在部がなす角部の内側において、前記前後延在部及び前記左右延在部のそれぞれに支持されるとともに、上下方向に延在する支柱と、を備えている。
【０００７】
本態様によれば、縦枠部が前後延在部及び左右延在部を有している。そのため、縦枠部が一方向に延在している構成に比べて縦枠部の強度を確保できる。
本態様では、支柱が、前後延在部及び左右延在部がなす角部の内側において、前後延在部及び左右延在部のそれぞれに支持されている。これにより、支柱が前後方向及び左右方向のそれぞれで支持されるため、縦枠部によって支柱を安定して支持できる。
しかも、本態様では、前後延在部及び左右延在部に沿わせて支柱を配置することで、前後延在部及び左右延在部に対する支柱の位置決めを容易に行うことができる。これにより、組付性を向上させることができる。
また、本態様では、前後延在部及び左右延在部の少なくとも何れかに天板保持部が連なっているため、縦枠部の強度をより向上させることができる。さらに、天板保持部が天板の下方に回り込むことで、縦枠部と什器本体との取付部分が天板上に露出する等の意匠性の低下を抑制しつつ、縦枠部を天板に安定して保持させることができる。
このように、本態様では、縦枠部の強度を確保した上で、縦枠部を天板に安定して取り付けることができる。その結果、縦枠部によってオプション部材を安定して支持できるとともに、作業時（例えば、天板の昇降時や作業面上での作業時等）に発生する振動に対する耐久性を向上させることができる。
【０００８】
本発明の一態様に係るオプションユニットにおいて、前記縦枠部は、左右方向に間隔をあけて一対設けられ、左右方向に延びるとともに、一対の前記縦枠部同士を連結する横枠部を備えていてもよい。
この構成によれば、各縦枠部の左右方向の移動を横枠部によって規制できるので、オプションユニットをより安定させることができる。
【０００９】
本発明の一態様に係るオプションユニットにおいて、前記前後延在部には、前記支柱を露出させる第１開口部が形成され、前記横枠部は、前記第１開口部を通じて前記支柱に固定されていてもよい。
この構成によれば、横枠部が支柱に直接連結されることで、支柱をより強固に支持できる。
【００１０】
本発明の一態様に係るオプションユニットにおいて、前記左右延在部には、前記支柱を露出させる第２開口部が形成され、前記左右延在部は、前記第２開口部の開口縁において前記支柱に溶接されていてもよい。
この構成によれば、支柱の左右方向の幅内に溶接痕を収めることができるので、例えば正面や斜め前から天板付什器を見た際に溶接痕が視認し難くなる。その結果、意匠性の向上を図ることができる。
また、第２開口部を通じて支柱が露出するため、左右延在部と支柱との溶接代を確保できる。その結果、組付性を向上させることができる。
【００１１】
本発明の一態様に係るオプションユニットにおいて、前記天板保持部は、前記前後延在部から左右方向に連なっていてもよい。
この構成によれば、例えば天板保持部が左右延在部から後方に連なっている場合に比べて、作業面上において縦枠部を後方に配置できる。これにより、作業面上での作業スペースを確保できる。
【００１２】
本発明の一態様に係るオプションユニットにおいて、前記オプション部材は、一対の前記縦枠部の前記前後延在部間に架け渡された棚板であってもよい。
この構成によれば、オプション部材として、縦枠部間を架け渡す棚板を用いることで、縦枠部の左右方向の移動を横枠部とともに規制できる。これにより、利便性の向上を図った上で、オプションユニットをより安定させることができる。
【００１３】
本発明の一態様に係るオプションユニットにおいて、前記天板保持部は、前記天板の上面に沿って配置される上壁部と、前記上壁部に連なり、前記天板の側面に沿って配置される側壁部と、前記側壁部に連なり、前記天板の下面に沿って配置される下壁部と、前記下壁部から下方に延在するとともに、前記什器本体に取り付けられる取付壁と、を備えていてもよい。
この構成によれば、取付壁を介して什器本体と縦枠部とを左右方向で固定することができる。そのため、天板の下面に縦枠部の取付スペースを左右方向に大きく確保する必要がないので、例えば天板を支持する支持脚の左右方向の間隔を広くすることができる。これにより、天板を支持脚によって安定して支持できる。
【００１４】
本発明の一態様に係る天板付什器は、上記態様に係るオプションユニットと、上面が作業面とされた天板を有し、前記オプションユニットが着脱可能に取り付けられる什器本体と、を備える。
この構成によれば、上述したオプションユニットを備えているため、作業時に発生する振動等に耐え得る信頼性の高い天板付什器を提供できる。
【００１５】
本発明の一態様に係る天板付什器において、前記天板を支持する支持脚を備え、前記支持脚は、上下方向に伸縮可能に構成されていてもよい。
この構成によれば、上述したようにオプションユニットを天板に安定して取り付けることができるので、支持脚の伸縮に伴うオプションユニットの振動や異音の発生等を抑制できる。
【発明の効果】
【００１６】
本発明の一態様によれば、天板に安定して取付可能なオプションユニット及び天板付什器を提供できる。
【図面の簡単な説明】
【００１７】
【図１】実施形態に係る天板付什器の斜視図である。
【図２】実施形態に係る天板付什器を左側から見た部分側面図である。
【図３】実施形態に係るオプションフレームを後方から見た部分斜視図である。
【図４】図３のＩＶ−ＩＶ線に沿う断面図である。
【図５】実施形態に係る縦枠部の分解斜視図である。
【図６】実施形態に係る天板付什器の部分斜視図である。
【図７】実施形態に係る天板付什器を後方から見た分解斜視図である。
【図８】実施形態に係る天板付什器の部分斜視図である。
【図９】実施形態に係る天板付什器の部分斜視図である。
【図１０】実施形態に係る天板付什器の部分斜視図である。
【発明を実施するための形態】
【００１８】
次に、本発明の実施形態を図面に基づいて説明する。なお、以下の説明において、天板付什器１が設置された床面Ｆの法線方向を上下方向（矢印ＵＰが上方）とし、上下方向に直交する方向をそれぞれ前後方向（矢印ＦＲが前方）及び左右方向（矢印ＬＨが左側）とする。
【００１９】
［天板付什器］
図１は、天板付什器１の斜視図である。
図１に示す天板付什器１は、天板２の上面が使用者の作業面２ａとされた、いわゆる作業台である。本実施形態の天板付什器１は、例えば工場の床面Ｆに設置されている。但し、天板付什器１の設置場所は適宜変更が可能である。
【００２０】
天板付什器１は、什器本体３と、什器本体３に着脱可能に取り付けられたオプションユニット４と、を備えている。
【００２１】
＜什器本体＞
什器本体３は、支持脚１０と、支持脚１０に上下昇降可能に支持された天板ユニット１１と、を備えている。
【００２２】
支持脚１０は、左右一対で設けられている。各支持脚１０は、天板付什器１の左右方向の中心を通り左右方向に直交する面に対して面対称に形成されている。したがって、以下の説明では、一方の支持脚１０について説明する。
【００２３】
支持脚１０は、下部フレーム１５と、一対の昇降脚１６と、を備えている。
下部フレーム１５は、前後方向に延在している。下部フレーム１５は、アジャスタ（不図示）を介して床面Ｆに設置されている。
【００２４】
昇降脚１６は、下部フレーム１５の前後両端部から上方に立設されている。各昇降脚１６は、上下方向から見た平面視外形が異なる角筒状の筒体が入れ子になって組み合わされている。各筒体は、昇降脚１６の内部に内蔵された駆動機構（例えば、モータや減速機構等）の動作によって、上下方向に互いに相対移動可能に構成されている。各筒体のうち、最下部に位置する筒体は、下部フレーム１５に固定されている。各筒体のうち、最上部に位置する筒体は、天板ユニット１１に固定されている。本実施形態では、各筒体のうち、下方に位置する筒体ほど大径に形成されているが、この構成に限らず、下方に位置する筒体ほど小径に形成されていてもよい。また、昇降脚１６を構成する各筒体の数や平面視外形等は適宜変更が可能である。
【００２５】
上述した昇降脚１６は、天板２の下面に設けられたコントローラ２１の操作によって駆動機構の動作が制御されている。なお、昇降脚１６は、電動式に限らず、ガススプリング式や機械式等であってもよい。本実施形態では、一つの支持脚１０が一対の昇降脚１６を備える構成について説明したが、この構成のみに限られない。一つの支持脚１０に対する昇降脚１６の数は、天板付什器１の耐荷重に応じて適宜変更が可能である。
【００２６】
天板ユニット１１は、上述した天板２と、天板支持フレーム３２と、配線収容部３３と、を有している。
天板２は、左右方向を長手方向とする平面視長方形状に形成されている。なお、天板２のサイズや平面視形状等は適宜変更が可能である。
【００２７】
天板支持フレーム３２は、天板２の下面に取り付けられ、天板２を下方から支持している。本実施形態の天板支持フレーム３２は、平面視で矩形枠状に形成されている。具体的に、天板支持フレーム３２は、前後フレーム３５と、左右フレーム３６と、を備えている。
【００２８】
図２は、天板付什器１を左側から見た部分側面図である。
図１、図２に示すように、前後フレーム３５は、天板２の下面において、左右方向の両端部を前後方向に延在している。前後フレーム３５は、下方に開口するＣ字状又は筒状に形成されている。前後フレーム３５における前後両端部には、被覆キャップ３８が装着されている。被覆キャップ３８における前後両端面は、下方に向かうに従い前後方向の内側（天板付什器１の前後方向の中心に向かう方向）に延びる傾斜面とされている。但し、被覆キャップ３８の前後両端面は、前後方向に直交する平坦面であってもよい。
【００２９】
図１に示すように、左右フレーム３６は、天板２の下面において、前後方向の両端部を左右方向に延在している。各左右フレーム３６は、各前後フレーム３５の前端部同士、及び後端部同士の間をそれぞれ架け渡している。
【００３０】
図２に示すように、配線収容部３３は、天板２の後部に取り付けられたハンガブラケット４１によって吊り下げられている。配線収容部３３は、左右方向から見た側面視において、上方に開口するＪ字状に形成されている。具体的に、配線収容部３３は、天板２の下方を前後方向に延在した後、天板２の後方から上方に回り込んでいる。配線収容部３３には、テーブルタップやＬＡＮ（Ｌｏｃａｌ  Ａｒｅａ  Ｎｅｔｗｏｒｋ）ポート等が載置可能になっている。
【００３１】
＜オプションユニット＞
図１に示すように、オプションユニット４は、天板ユニット１１の後端部に着脱可能に取り付けられている。オプションユニット４は、オプションフレーム５１と、下棚板（オプション部材）５２と、上棚板（オプション部材）５３と、を備えている。
【００３２】
オプションフレーム５１は、前後方向から見た正面視で矩形枠状に形成されている。オプションフレーム５１は、天板ユニット１１の後端部から上方に立設されている。オプションフレーム５１は、種々のオプション部材（例えば、棚板５２，５３等）が取付可能に構成されている。
【００３３】
図３は、オプションフレーム５１を後方から見た部分斜視図である。
図３に示すように、オプションフレーム５１は、縦枠部５５と、横枠部（第１横枠部５６及び第２横枠部５７）と、を備えている。
縦枠部５５は、天板２の左右両端部に配置されている。なお、縦枠部５５は、天板付什器１の左右方向の中心を通り左右方向に直交する面に対して面対称に形成されている。したがって、以下の説明では、一方（左側）の縦枠部５５について説明する。
【００３４】
縦枠部５５は、補強板６１と、支柱６２と、を備えている。
補強板６１は、板材が屈曲されて構成されている。補強板６１は、棚板支持部６５と、天板保持部６６と、を備えている。
【００３５】
図４は、図３のＩＶ−ＩＶ線に沿う断面図である。図５は、縦枠部５５の分解斜視図である。
図３〜図５に示すように、棚板支持部６５は、天板２の作業面２ａから上方に立設されている。棚板支持部６５は、平面視でＬ字状に形成されている。具体的に、棚板支持部６５は、前後延在部７１と、左右延在部７２と、を備えている。
前後延在部７１は、左右方向を厚さ方向として、前後方向に延在している。前後延在部７１は、天板２における左右方向の外側（天板付什器１の左右方向の中心から離間する方向）端縁に対して左右方向の内側に配置されている。前後延在部７１の後端縁は、天板２の後端縁と面一、若しくは前方に位置している。図５に示すように、前後延在部７１の前部には、上方に突出する突出部７３が形成されている。
【００３６】
図３〜図５に示すように、左右延在部７２は、前後延在部７１の後端縁から左右方向の外側に屈曲されている。左右延在部７２における左右方向の外側端部は、天板２における左右方向の外側端縁に対して左右方向の内側に位置している。すなわち、補強板６１は、平面視において、天板２の外周縁よりも内側に位置している。
【００３７】
棚板支持部６５において、前後延在部７１と左右延在部７２とがなす角部６５ａには、貫通孔７５が形成されている。貫通孔７５は、前後延在部７１を左右方向に貫通する第１開口部７１ａと、左右延在部７２を前後方向に貫通する第２開口部７２ａと、が連なって形成されている。すなわち、貫通孔７５は、前後方向及び左右方向に開放されている。
【００３８】
図６は、天板付什器１の部分斜視図である。
図２、図６に示すように、天板保持部６６は、棚板支持部６５の下端から左右方向の外側に連なっている。天板保持部６６は、天板２を上下方向で挟み込んでいる。天板保持部６６は、正面視において、クランク状に形成されている。具体的に、天板保持部６６は、上壁部８１、側壁部８２、下壁部８３及び取付壁８４を備えている。
上壁部８１は、天板２の作業面２ａに沿って棚板支持部６５の下端から左右方向の外側に延在している。なお、上壁部８１は、棚板支持部６５のうち、前後延在部７１及び左右延在部７２の少なくとも何れかに接続されていればよい。
【００３９】
側壁部８２は、天板２の側面に沿って上壁部８１における左右方向の外側端縁から下方に延設されている。側壁部８２は、天板２の側面に左右方向で近接又は当接している。
下壁部８３は、天板２の下面に沿って側壁部８２の下端縁から左右方向の内側に延設されている。下壁部８３は、天板２の下面に上下方向で近接又は当接している。
【００４０】
取付壁８４は、前後フレーム３５の側面に沿って下壁部８３の左右方向の内側端縁から下方に延設されている。取付壁８４は、前後フレーム３５に例えばビス８５等によって締結されている。これにより、補強板６１は、天板保持部６６が天板２の下方に回り込んだ状態で、天板ユニット１１に固定されている。なお、図２に示すように、天板保持部６６において、下壁部８３及び取付壁８４の後端部には、前方に切り欠かれた逃げ部８７が形成されている。上述した被覆キャップ３８は、逃げ部８７を通じて左右方向の外側に露出している。
【００４１】
天板保持部６６は、取付壁８４を有さない構成であってもよい。この場合、天板保持部６６は、取付壁８４及び前後フレーム３５以外の部分（例えば、下壁部８３及び天板２同士等）で天板ユニット１１に固定されていてもよい。また、天板保持部６６は、例えば下壁部８３に螺着されたねじと、上壁部８１と、の間で天板２を挟持する構成であってもよい。但し、天板保持部６６及び天板ユニット１１は、取付スペースや意匠性等の観点から取付壁８４及び前後フレーム３５間で固定することが好ましい。
【００４２】
図４〜図６に示すように、支柱６２は、角筒状に形成されている。支柱６２は、棚板支持部６５の角部６５ａの内側において、左右方向の内側端面を前後延在部７１に沿わせ、かつ後面を左右延在部７２に沿わせた状態で配置されている。なお、支柱６２の下端は、上述した上壁部８１に上方から突き当たっている。
【００４３】
図７は、天板付什器１を後方から見た分解斜視図である。
図７に示すように、支柱６２の後面は、第２開口部７２ａにおける左右方向の外側開口縁に溶接されている。本実施形態において、支柱６２と左右延在部７２との溶接痕９０は、第２開口部７２ａにおける左右方向の外側開口縁に上下方向に沿って形成されている。したがって、溶接痕９０は、支柱６２に対して左右方向の両側にはみ出さないようになっている。なお、支柱６２と左右延在部７２との固定方法は、溶接に限らず、ビス等による締結であってもよい。また、支柱６２の下端と上壁部８１とが溶接等によって固定されていてもよい。
【００４４】
支柱６２の左右方向の内側端面において、第１開口部７１ａを通じて露出する部分には、取付孔９１が形成されている。本実施形態において、取付孔９１は、上下方向に間隔をあけて複数形成されている。
図６に示すように、支柱６２の前面には、係止孔９２が形成されている。係止孔９２は、上下方向を長手方向とするスリット状に形成されている。係止孔９２は、上下方向に間隔をあけて複数形成されている。
【００４５】
図３、図７に示すように、第１横枠部５６は、各縦枠部５５における支柱６２の下部同士を架け渡している。第１横枠部５６は、上下方向に沿う横断面視がＣ字状とされ、左右方向に延在している。第１横枠部５６において、左右両端部に位置する端壁部９４には、端壁部９４を左右方向に貫通する貫通孔９４ａが形成されている。第１横枠部５６の端壁部９４は、第１開口部７１ａを通じて支柱６２の左右方向の内側端面に突き当てられている。第１横枠部５６及び支柱６２は、端壁部９４の貫通孔９４ａを通じて支柱６２の取付孔９１にビス９５が締結されることで固定されている。なお、第１横枠部及び支柱６２の固定方法は、ビス９５等による締結に限らず、例えば溶接等であってもよい。
【００４６】
図３に示すように、第２横枠部５７は、各縦枠部５５における支柱６２の上部同士を架け渡している。第２横枠部５７の端壁部９７は、第１横枠部５６と同様に、支柱６２に対してビス９８によって締結されている。
【００４７】
図２、図６に示すように、下棚板５２は、板金の外周部分が下方に屈曲されて構成されている。具体的に、下棚板５２は、上下方向を厚さ方向とする物品載置部１００と、物品載置部１００の外周縁から下方に屈曲された周壁部１０１と、を備えている。周壁部１０１は、物品載置部１００の全周を取り囲んでいる。
【００４８】
下棚板５２は、各縦枠部５５間に架け渡された状態で、各縦枠部５５に下方から支持されている。具体的に、下棚板５２の周壁部１０１内には、縦枠部５５の突出部７３が挿入されている。下棚板５２は、物品載置部１００の下面が突出部７３の上端縁に支持され、周壁部１０１の下端が前後延在部７１及び左右延在部７２の上端に支持されている。
【００４９】
図１に示すように、上棚板５３は、一対の棚板ブラケット１１０と、棚板本体１１１と、を備えている。
各棚板ブラケット１１０は、縦枠部５５の各支柱６２にそれぞれ係止されている。具体的に、棚板ブラケット１１０は、不図示の係止爪が支柱６２の係止孔９２のうち、任意の係止孔９２に係止されることで、前下がりに保持されている。
棚板本体１１１は、各棚板ブラケット１１０間に架け渡されている。棚板本体１１１は、上面が前下がりとなるように棚板ブラケット１１０に支持されている。棚板本体１１１の前端部には、棚板本体１１１からの物品の落下を規制するストッパ１１３が形成されている。なお、棚板本体１１１の床面Ｆに対する傾斜角度は、支柱６２に対する棚板ブラケット１１０の傾斜角度に応じて適宜変更が可能である。
【００５０】
なお、本実施形態の天板付什器１は、オプションフレーム５１に取り付けられるオプション部材として、棚板５２，５３を例にした場合について説明したが、この構成のみに限られない。例えば、図８に示すように、オプションフレーム５１（支柱６２）には、ビンレール１２１を介してパーツボックス１２２が左右方向にスライド可能に支持されていてもよい。図９に示すように、オプションフレーム５１（支柱６２）には、ディスプレイビーム１２５を介してディスプレイ１２６が支持されていてもよい。図１０に示すように、オプションフレーム５１には、横枠部５６，５７と支柱６２とで囲まれた部分に、マグネットボード等のバックパネル１２８を嵌め込んでもよい。その他、オプションフレーム５１には、必要な用途、機能に合わせて種々のオプション部材を取り付けることが可能である。
【００５１】
以上のように、本実施形態では、縦枠部５５の棚板支持部６５が前後延在部７１及び左右延在部７２を有している。そのため、棚板支持部６５が一方向に延在している構成に比べて縦枠部５５の強度を確保できる。
本実施形態では、支柱６２が、棚板支持部６５の角部６５ａの内側において、前後延在部７１及び左右延在部７２のそれぞれに支持されている。これにより、支柱６２が前後方向及び左右方向のそれぞれで支持されるため、縦枠部５５によって支柱６２を安定して支持できる。
しかも、本実施形態では、前後延在部７１及び左右延在部７２に沿わせて支柱６２を配置することで、前後延在部７１及び左右延在部７２に対する支柱６２の位置決めを容易に行うことができる。これにより、組付性を向上させることができる。
また、本実施形態では、前後延在部７１に天板保持部６６が連なっているため、縦枠部５５の強度をより向上させることができる。さらに、天板保持部６６がクランク状に形成されて天板２の下方に回り込むことで、縦枠部５５と什器本体３との取付部分が天板２上に露出する等の意匠性の低下を抑制しつつ、縦枠部５５を天板２に安定して保持させることができる。
このように、本実施形態では、縦枠部５５の強度を確保した上で、縦枠部５５を天板２に安定して取り付けることができる。その結果、オプションフレーム５１によってオプション部材を安定して支持できるとともに、作業時（例えば、天板２の昇降時や作業面２ａ上での作業時、棚板５２，５３からの物品出し入れ時等）に発生する振動に対する耐久性を向上させることができる。
【００５２】
本実施形態では、左右の縦枠部５５同士が横枠部５６を介して連結されている構成とした。
この構成によれば、各縦枠部５５の左右方向の移動を横枠部５６によって規制できるので、オプションフレーム５１をより安定させることができる。
【００５３】
本実施形態では、横枠部５６が第１開口部７１ａを通じて支柱６２に固定されている構成とした。
この構成によれば、横枠部５６が支柱６２に直接連結されることで、支柱６２をより強固に支持できる。
【００５４】
本実施形態では、左右延在部７２が第２開口部７２ａの開口縁において、支柱６２に溶接されている構成とした。
この構成によれば、支柱６２の左右方向の幅内に溶接痕９０を収めることができるので、例えば正面や斜め前から天板付什器１を見た際に溶接痕９０が視認し難くなる。その結果、意匠性の向上を図ることができる。
また、第２開口部７２ａを通じて支柱６２が露出するため、左右延在部７２と支柱６２との溶接代を確保できる。その結果、組付性を向上させることができる。
【００５５】
本実施形態では、第１開口部７１ａ及び第２開口部７２ａが連なっている構成とした。
この構成によれば、例えば前後延在部７１及び左右延在部７２に別々に貫通孔を形成する場合に比べて、前後延在部７１及び左右延在部７２の小型化を図ることができる。そのため、作業面２ａ上における縦枠部５５の設置スペースを縮小させ、作業面２ａ上での作業スペースを確保できる。
【００５６】
本実施形態では、天板保持部６６が前後延在部７１から左右方向の外側に連なっている構成とした。
この構成によれば、例えば天板保持部６６が左右延在部７２から後方に連なっている場合に比べて、作業面２ａ上において縦枠部５５を後方に配置できる。これにより、作業面２ａ上での作業スペースを確保できる。
【００５７】
本実施形態では、オプション部材として、縦枠部５５間を架け渡す棚板５２，５３を用いることで、縦枠部５５の左右方向の移動を横枠部５６とともに規制できる。これにより、利便性の向上を図った上で、オプションフレーム５１をより安定させることができる。
【００５８】
本実施形態では、天板保持部６６が下壁部８３から下方に延在する取付壁８４を備えている構成とした。
この構成によれば、取付壁８４を介して什器本体３とオプションフレーム５１とを左右方向で固定することができる。そのため、天板２の下面にオプションフレーム５１の取付スペースを左右方向に大きく確保する必要がないので、支持脚１０の左右方向の間隔を広くすることができる。これにより、天板２を支持脚１０によって安定して支持できる。
【００５９】
本実施形態の天板付什器１では、上述したオプションユニット４を備えているため、作業時に発生する振動等に耐え得る信頼性の高い天板付什器１を提供できる。
【００６０】
本実施形態では、支持脚１０が上下方向に伸縮可能に構成されている。
上述したように本実施形態の天板付什器１は、オプションユニット４を天板２に安定して取り付けることができるので、支持脚１０の伸縮に伴うオプションユニット４の振動や異音の発生等を抑制できる。
【００６１】
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、本発明に係る天板付什器として、作業台を例にした場合について説明したが、この構成のみに限られない。本発明に係る天板付什器は、作業台以外のデスク装置に採用してもよい。また、本発明に係る天板付什器は、上面が作業面とされた天板を有する構成であれば、デスク装置に限らず、例えばキャビネット等であってもよい。
上述した実施形態では、天板２が支持脚１０の伸縮動作に応じて上下昇降する構成について説明したが、この構成のみに限られない。
【００６２】
上述した実施形態では、オプションユニット４が天板２の後端部に取り付けられた構成について説明したがこの構成のみに限られない。例えば、天板２における前後方向の中央部にオプションユニット４を取り付け、天板２のうちオプションユニット４を間に挟んで前後両側に作業スペースを確保する構成であってもよい。
【００６３】
上述した実施形態では、第１開口部７１ａ及び第２開口部７２ａにより貫通孔７５が形成された構成について説明したが、この構成のみに限られない。第１開口部７１ａ及び第２開口部７２ａを別々に有していてもよく、第１開口部７１ａ及び第２開口部７２ａの何れかを有する構成でもよい。例えば第１開口部７１ａを有さない場合には、前後延在部７１を間に挟んで支柱６２と横枠部５６とを固定してもよい。
【００６４】
上述した実施形態では、補強板６１が下棚板５２を支持可能な構成について説明したが、この構成のみに限られない。すなわち、補強板６１は、単に支柱６２を支持する機能のみを有していてもよい。この場合、補強板６１の形状は適宜変更が可能である。
上述した実施形態では、縦枠部５５及び横枠部５６，５７によりオプションフレーム５１を形成した場合について説明したが、この構成のみに限られない。例えば、縦枠部５５のみでオプションフレームを構成してもよい。この場合、縦枠部５５に対してオプション部材（例えば、照明装置等）を着脱可能に取り付けてもよい。
【００６５】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００６６】
１…天板付什器
２…天板
３…什器本体
４…オプションユニット
１０…支持脚
５２…下棚板（オプション部材）
５３…上棚板（オプション部材）
５５…縦枠部
５６…第１横枠部
５７…第２横枠部
６２…支柱
６５ａ…角部
６６…天板保持部
７１…前後延在部
７１ａ…第１開口部
７２…左右延在部
７２ａ…第２開口部
【図１】
2019195350.tif 000003
【図２】
2019195350.tif 000004
【図３】
2019195350.tif 000005
【図４】
2019195350.tif 000006
【図５】
2019195350.tif 000007
【図６】
2019195350.tif 000008
【図７】
2019195350.tif 000009
【図８】
2019195350.tif 000010
【図９】
2019195350.tif 000011
【図１０】
2019195350.tif 000012